(57)【要約】【課題】電動掃除機本体を接続口が上方を向くように直立させた場合にも電動掃除機本体を安定して保持できる電気掃除機を提供する。【解決手段】電動送風機と集塵室１１０とを含み、前方に接続口１４０を有する掃除機本体１００と、掃除機本体１００の後方に位置する把持部１５０ａ及び一端が把持部１５０ａに接続され他端が掃除機本体１００に取り付けられた腕部１５０ｂからなる把手１５０と、を有し、把手１５０は、接続口１４０を上方に向けて掃除機本体１００を床面Ａに直立させた場合に、把持部１５０ａが床面Ａに接する電気掃除機１。把手１５０は、掃除機本体１００に可動するように取り付けられ、掃除機本体１００を床面Ａに水平に置いた場合に、掃除機本体１００に収納される。【選択図】図１
2014158585.tif 000002
【特許請求の範囲】
【請求項１】
電動送風機と集塵室とを含み、前方に接続口を有する掃除機本体と、
前記掃除機本体の後方に位置する把持部及び一端が前記把持部に接続され他端が前記掃除機本体に取り付けられた腕部からなる把手と、
を有し、
前記把手は、前記接続口を上方に向けて前記掃除機本体を床面に直立させた場合に、前記把持部が床面に接することを特徴とする電気掃除機。
【請求項２】
前記把手は、前記掃除機本体に可動するように取り付けられ、前記掃除機本体を床面に水平に置いた場合に、前記掃除機本体に収納されることを特徴とする請求項１に記載の電気掃除機。
【発明の詳細な説明】
【技術分野】
【０００１】
本発明は、電気掃除機に関し、特に電気掃除機の把手の構造に関する。
【背景技術】
【０００２】
従来の電気掃除機は、例えば特許文献１（図１，２）に示すように、電気掃除機本体の後方に直径の大きな車輪を有し、前方の接続口にホースを挿入し、ホースに操作管が接続され、操作管に延長管を介して吸引口が接続されている。使用者は、操作管を握り、操作管を引くことによりホースを介して電気掃除機本体を移動させる。また、電気掃除機本体には、電気掃除機本体を持って移動させるためのハンドル（把手）が電気掃除機本体の上部に取り付けられている。
このような構造の電気掃除機を収納する際、電気掃除機本体の接続口が上方を向くように直立させた方が、底面積が小さくなり、収納効率が良くなる。しかしながら、このような構造の電気掃除機は、電気掃除機本体の接続口が上方を向くように直立させた場合、後方に大きな車輪があるため、直立させた場合の底面が不安定となり、前後に転びやすいというという問題がある。
【０００３】
この問題を解決するために、例えば特許文献１（図１６）に示すように、電気掃除機本体の後方に凸部を形成し、電気掃除機本体を接続口が上方を向くように直立させた場合も安定させる方法が記載されている。
【先行技術文献】
【特許文献】
【０００４】
【特許文献１】特開２０１３−９７９３号公報（図１，２，１６）
【発明の概要】
【発明が解決しようとする課題】
【０００５】
しかしながら、従来の方法では、電気掃除機本体の後方に凸部を形成しなければならず、不要な部品が増えてしまい、製造コストが高くなってしまうという問題がある。また、電気掃除機本体を丸みを帯びたデザインにしたい場合、凸部を付けてしまうと、全体的なデザインが損なわれてしまうという問題がある。
【０００６】
本発明は、上述した従来技術の問題点を解決するためになされたものであり、その目的は、電気掃除機を持ち運ぶ際に必要な把手を電気掃除機を直立させた状態でのスタンドとして兼用することにより、概観のデザイン性を損なうような不要な部品を付加する必要が無く、電気掃除機を接続口が上方を向くように直立させた場合にも安定して保持できる電気掃除機を提供することである。
【課題を解決するための手段】
【０００７】
本発明のある態様による電気掃除機は、電動送風機と集塵室とを含み、前方に接続口を有する掃除機本体と、前記掃除機本体の後方に位置する把持部及び一端が前記把持部に接続され他端が前記掃除機本体に取り付けられた腕部からなる把手と、を有し、前記把手は、前記接続口を上方に向けて前記掃除機本体を床面に直立させた場合に、前記把持部が床面に接することを特徴とする。
【０００８】
この構成によれば、電気掃除機を持ち運ぶ際に必要な把手を電気掃除機を直立させた状態でのスタンドとして兼用することにより、概観のデザイン性を損なうような不要な部品を付加する必要が無く、電気掃除機を接続口が上方を向くように直立させた場合にも電気掃除機を安定して保持できる。
【０００９】
上記電気掃除機において、前記把手は、前記掃除機本体に可動するように取り付けられ、前記掃除機本体を床面に水平に置いた場合に、前記掃除機本体に収納されるようにしてもよい。
【００１０】
こうすれば、電気掃除機を床面に水平に置いた場合に、把手が掃除機本体に収納されるので、電気掃除機から把手が飛び出して邪魔になることが無い。
【発明の効果】
【００１１】
本発明によれば、電気掃除機を持ち運ぶ際に必要な把手を電気掃除機を直立させた状態でのスタンドとして兼用することにより、概観のデザイン性を損なうような不要な部品を付加する必要が無く、電気掃除機を接続口が上方を向くように直立させた場合にも電気掃除機を安定して保持できる。さらに、電気掃除機を床面に水平に置いた場合に、把手が掃除機本体に収納されるので、電気掃除機から把手が飛び出して邪魔になることが無い。
【図面の簡単な説明】
【００１２】
【図１】本発明の第１の実施形態に係る電気掃除機を直立させた状態の構成を示す側面図及び上面図である。
【図２】本発明の第２の実施形態に係る電気掃除機を水平に置いた状態の構成を示す側面図である。
【発明を実施するための形態】
【００１３】
以下、電気掃除機の実施形態について図面に従って説明する。以下に参照する各図において、他の図と同等部分は同一符号を付して説明する。
【００１４】
（第１の実施形態）
先ず、第１の実施形態に係る電気掃除機の構成について、図１を参照して説明する。図１（Ａ）は、第１の実施形態に係る電気掃除機を直立させた状態の構成を示す側面図である。図１（Ｂ）は、第１の実施形態に係る電気掃除機の構成を示す上面図である。
【００１５】
図１（Ａ）及び図１（Ｂ）に示すように、電気掃除機１は、図示しない電動送風機と集塵室１１０とを含み、前方（点線Ｂの矢印方向）に接続口１４０を有する掃除機本体１００と、掃除機本体１００の後方の側面に取り付けられた後車輪１２０と、掃除機本体１００の前方の底面に取り付けられた前車輪１３０と、掃除機本体１００に取り付けられた把手１５０と、を備えている。接続口１４０には、例えば、特許文献１（図１）に示すようなホースが挿入され、ホースに操作管が接続され、操作管に延長管を介して吸引口が接続される。電気掃除機１は、掃除をする際には、接続口１４０が前方を向き、前車輪１３０と後車輪１２０とが床面に接する。図１（Ａ）は、接続口１４０が上方を向くように電気掃除機１を直立させた状態を示している。
【００１６】
把手１５０は、掃除機本体１００の後方に位置する把持部１５０ａと、一端が把持部１５０ａに接続され他端が掃除機本体１００の把手取付部１５０ｄに取り付けられた一対の腕部１５０ｂと、から構成されている。電気掃除機１を持ち運ぶ際には、使用者は、把持部１５０ａを握って持ち上げる。図１（Ｂ）では、把手１５０は、把持部１５０ａと腕部１５０ｂとが一体で形成されているが、把持部１５０ａと腕部１５０ｂとを別の部材で構成し、連結するようにしても良い。また、図１（Ｂ）では、把手１５０は、集塵室１１０を挟むように構成されているが、これに限定するものではなく、例えば掃除機本体１００を挟むように構成しても良い。
【００１７】
図１（Ａ）に示すように、電気掃除機１は、接続口１４０が上方を向くように直立させた場合、掃除機本体１００の後端１００ａと把手１５０の後方先端１５０ｃとが点線Ａで示す床面に当たるように構成されている。電気掃除機１は、掃除機本体１００の集塵室１１０が後車輪１２０の中心よりも点線Ａの矢印方向にあり、重心が集塵室１１０側に寄っているが、掃除機本体１００の後端１００ａと把手１５０の後方先端１５０ｃとにより安定して保持される。
【００１８】
以上に述べた第１の実施形態によれば、以下の効果が得られる。
第１の実施形態では、電気掃除機１を持ち運ぶ際に必要な把手１５０を電気掃除機１を直立させた状態でのスタンドとして兼用することにより、概観のデザイン性を損なうような不要な部品を付加する必要が無く、電気掃除機１を接続口が上方を向くように直立させた場合にも電気掃除機１を安定して保持できる。
【００１９】
（第２の実施形態）
第１の実施形態では、把手１５０が掃除機本体１００の把手取付部１５０ｄに固定して取り付けられているように説明したが、把手１５０の位置が電気掃除機１の置き方に応じて動くようにしても良い。
【００２０】
次に、第２の実施形態に係る電気掃除機の構成について、図２を参照して説明する。図２は、第１の実施形態に係る電気掃除機を水平に置いた状態の構成を示す側面図である。
図２に示すように、把手１５０は、掃除機本体１００の把手取付部１５０ｄの位置を中心に上下に回転するように取り付けられている。さらに、把手１５０は、電気掃除機１を水平に置いた場合に把手１５０の自重で矢印Ｄの位置まで下がり、電気掃除機１を直立に置いた場合に矢印Ｃの位置（図１（Ａ）の位置）まで戻るように調整された図示しないバネなどを把手取付部１５０ｄの位置に備えている。
【００２１】
以上に述べた第２の実施形態によれば、以下の効果が得られる。
第２の実施形態では、電気掃除機１を持ち運ぶ際に必要な把手１５０を電気掃除機１を直立させた状態でのスタンドとして兼用することにより、概観のデザイン性を損なうような不要な部品を付加する必要が無く、電気掃除機１を接続口が上方を向くように直立させた場合にも電気掃除機１を安定して保持できる。さらに、電気掃除機１を床面に水平に置いた場合に、把手１５０が掃除機本体１００に収納されるので、電気掃除機１から把手１５０が飛び出して邪魔になることが無い。
【００２２】
（変形例１）
第１の実施形態では、図１（Ｂ）に示すように、掃除機本体１００の後端１００ａが平らで、把手１５０の後方先端１５０ｃが丸い場合について説明したが、掃除機本体１００の後端１００ａを丸くし、把手１５０の後方先端１５０ｃを平らにしても良い。また、電気掃除機１を直立させた場合に床面に接する把手１５０の後方先端１５０ｃ及び掃除機本体１００の後端１００ａは、ゴムなどの滑りづらい素材で構成すれば良い。
【００２３】
（変形例２）
第１の実施形態では、図１（Ａ）に示すように、電気掃除機１の後車輪１２０の円周が掃除機本体１００の後端１００ａよりも（直立の状態で）高い位置にあるように説明したが、後車輪１２０の円周が床面（点線Ａ）に接するようにしても良い。こうすれば、掃除機本体１００の後端１００ａ及び把手１５０の後方先端１５０ｃを丸くしても、一対の後車輪１２０の円周が床面に接しているので、安定して保持できる。その場合、電気掃除機１を直立させた場合に床面に接する把手１５０の後方先端１５０ｃは、ゴムなどの滑りづらい素材で構成すれば良い。
【００２４】
（変形例３）
第１の実施形態では、図１（Ａ）に示すように、電気掃除機１を直立させた場合、把手１５０の把持部１５０ａが集塵室１１０の先端よりも内側（点線Ａの矢印と反対方向）にあるように説明したが、電気掃除機１を直立させた場合に、把手１５０の把持部１５０ａが集塵室１１０の先端を越えない位置（図２の矢印Ｅの位置）まで広がっていても良い。こうすれば、電気掃除機１を直立させても、より安定して保持できる。
【００２５】
なお、本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【産業上の利用可能性】
【００２６】
本発明は、把手を有する電気掃除機に利用することができる。
【符号の説明】
【００２７】
１  電気掃除機
１００  掃除機本体
１１０  集塵室
１２０  後車輪
１３０  前車輪
１４０  接続口
１５０  把手
１５０ａ  把持部
１５０ｂ  腕部
１５０ｄ  把手取付部
【図１】
2014158585.tif 000003
【図２】
2014158585.tif 000004